Podtech/llm-jp-corpus-v4-ja_patent huggingface dataset:
(57)【要約】      （修正有）【課題】爪の洗浄を完全に行うことができ、指先を損傷する恐れのないマイクロ手指洗浄具を提供する。【解決手段】正方形または長方形袋状に形成したマイクロブラシ状材の内側面に独立発泡スポンジ材を袋状にして設け、表面がブラシ状のポリエステル又はナイロン製の袋の開口部１をファスナーを介して開閉自在に構成した袋状の手指洗浄具Ａの内側部に薬用石けん等の洗剤４を封入又は含浸し、開口部１の一端寄りに吊下帯２を介して強力な磁石３を設けた。【選択図】図１
2017056162.tif 000002
【特許請求の範囲】
【請求項１】
正方形または長方形袋状に形成したマイクロブラシ状材の内側面に独立発泡スポンジ材を袋状にして設け、表面がブラシ状のポリエステル又はナイロン製の袋の開口部をファスナーを介して開閉自在に構成した袋状の洗浄具の内側部に薬用石けん等の洗剤を封入又は含浸し、開口部の一端寄りに吊下帯を介して強力な磁石を設けたことを特徴とするマイクロ手指洗浄具。
【発明の詳細な説明】
【技術分野】
【０００１】  本発明は二重の袋状に形成したポリエステルマイクロブラシの開口部に布製ファスナーを設けることによって開閉自在とし、開口部にマグネット付吊下帯を設け、袋状のポリエステルマイクロブラシの中に石けん等の洗剤を封入した後、含水させて使用するマイクロ手指洗浄具に関するものである。
【背景技術】
【０００２】  従来使用されている手指洗浄具は、特に専用のものはなく、タワシ又は歯ブラシ等を利用して洗浄していた。
従って爪の洗浄を完全に行うことはできなかったばかりか指先を損傷する恐れがあった。
手指洗浄具としては次のような文献で知られている。
【特許文献１】特開２００６−１３０８９６号公報
【特許文献２】実録３０１４７８１号公報
【発明の開示】
【発明が解決しようとする課題】
【０００３】  従来、手指洗浄具として使用されている代表的なものとしては、タワシ、表皮用ブラシ等があるが、これらは何れも素材（線状）の径が太いため指の表皮に刺激が強く、適切な洗浄具には程遠いものであった。
又、医療従事者用として使用されているタワシ、表皮用ブラシ等があるが、何れも線材の径が太いため微細な表皮の部分には充分に作用しないばかりか刺激が強いためにトラブルの要因となっている現況にある。
【課題を解決するための手段】
【０００４】  上記問題点を解決するため本発明は、使用に適した、片手で握れる形状と大きさの袋状に形成し、表皮に対する刺激が少なく、又表皮の細部に作用する微細ブラシ（０．０４５ミリ）の径のポリエステル又はナイロン製素材を用い、袋状の内部に独立発泡スポンジ製の袋状にしたものを挿入し、その内部に薬用石けん等の洗浄剤を封入又は含浸させ、一端の開口部に設けたファスナーを介して開閉でき、石けん等の消耗に応じて補充することができ、一度石けんをセットすると使用毎に石けんを付ける必要はなく、連続して数十回使用できるようになり、独立発泡材もスポンジのため、内部の石けんもふやけることなく、水切れがよく、短時間で乾燥する衛生的な洗浄具としたもので、使い捨ての手術専用には約１グラム程度の薬用石けん分を含浸後、滅菌したものを使用する。
【発明の効果】
【０００５】  上記のように構成された本発明には次のような効果がある。
一本の太さが０．０４５ミリのポリエステルマイクロブラシで毛穴、指紋、爪の生え際や皮膚の細部まで油脂の汚れや細菌等を石けん又はアルコール等を併用することによって完全に取り除くことができる。
又、本発明は、帯状で内部に独立発泡状のスポンジを設けてあり、その中に石けんを入れ、水に浸した後、軽くこすると石けんの泡立ちがよく、手の洗浄がきれいに行われる。
更に本発明は水切れが非常によいので、石けんがふやけるようなことは全くない。
又、開口部は布製ファスナー（マジックテープ）を利用しているので、開閉が簡単で石けんの出し入れは簡単にできる。
【発明を実施するための最良の形態】
【０００６】  以下、本発明の実施の形態について説明する。
長方形袋状に形成した内側面に発泡状のスポンジ材を設けた、表面がブラシ状のポリエステルマイクロブラシの開口部を、布製のファスナーを介して開閉自在に構成した袋状の手指洗浄具の内部に石けん等の洗剤を封入し、開口部の一端寄りに吊下帯を介して強力なマグネットを設けたもので、使い易く合理的な手指洗浄具である。
【図面の簡単な説明】
【０００７】
【図１】  本発明の側面図
【図２】  本発明の平面図
【図３】  図１におけるａ‐ａ断面図
【図４】  本発明の使用状態図
【符号の説明】
【０００８】  １  開口部
２  吊下帯
３  強力マグネット
４  洗剤
Ａ  手指洗浄具
【図１】
2017056162.tif 000003
【図２】
2017056162.tif 000004
【図３】
2017056162.tif 000005
【図４】
2017056162.tif 000006
(57)【要約】【課題】靴の中敷き（インソール）に粘着性を持たせる事で靴下に付着した、毛髪や動物の毛などの汚れを靴を履いて歩く等の動作で中敷き（インソール）に圧力をかけて、その汚れを吸着する事を提供する。【解決手段】靴の中敷き（インソール）の表面（１）に粘着性を持たせる事で、靴を履いて歩行する等の動作で中敷き（インソール）に対して圧力をかけ、靴下に付着した毛髪や動物の毛等を中敷きが吸着する、（２）積層構造になっている事で、汚れを吸着して汚染された表面をめくると、まだ汚染されていない中敷き（インソール）の新しい表面が現れる。【選択図】図１
2017056170.tif 000002
【特許請求の範囲】
【請求項１】
靴の中敷き（インソール）の表面に粘着性を持たせる、また積層構造になっている事で、汚れを吸着して汚染された表面をめくると、まだ汚染されていない中敷き（インソール）の新しい表面が現れる。
【発明の詳細な説明】
【技術分野】
【０００１】この発明は、靴の中敷き（インソール）の表面に粘着性を持たせる事により、靴を履いた際に靴下等に付着した毛髪や動物の毛等の汚れを、表面に粘着性を持った靴の中敷きが吸着するという発明です。
【背景技術】
【０００２】靴下等に付着した毛髪や動物の毛などを靴を履いて歩く等の動作により、その汚れを吸着するような有効な装置は無かった。
【先行技術文献】
【０００３】
【特許文献１】
【非特許文献１】
【発明の概要】
【発明が解決しようとする課題】
【０００４】これまでは次のような欠点があった。
靴の中敷き（インソール）の表面に粘着性があるような物が無かったので、靴を履いて歩行する動作等で靴下に付着した毛髪や動物の毛等の汚れを吸着するような有効な手段がなかったので、靴下が汚れたままである、本発明は、以上のような欠点を無くすためになされたものである。
【課題を解決するための手段】
【０００５】靴の中敷き（インソール）の表面に（１）粘着性を持たせる、本発明は以上の構成よりなる、靴の中敷きによる汚れ吸着シートである。
【発明の効果】
【０００６】靴の中敷き（インソール）に粘着性を持たせる事で、靴を履いて歩行する動作で中敷き（インソール）に対して圧力がかかり靴下に付着した毛髪や動物の毛などが、粘着性のある中敷き（インソール）の表面に吸着する事で容易に靴下に付着した汚れを除去する効果がある。
【図面の簡単な説明】
【０００７】
【図１】  本発明の立体図である。
【０００８】以下、本発明を実施するための形態について説明する。
靴の中敷き（インソール）の表面（１）に粘着性を持たせる事で、靴を履いて歩行する動作等で中敷き（インソール）に対して圧力がかかるので靴下に付着した毛髪や動物の毛などの汚れを中敷き（インソール）の表面に吸着させる事が出来る。（２）積層構造になっており、汚れを吸着して汚染された表面をめくる事で、まだ汚染されていない新しい表面が現れる。
【符号の説明】
【０００９】１  靴の中敷き（インソール）の表面に粘着性がある。
２  中敷き（インソール）が積層構造になっている。
【図１】
2017056170.tif 000003
(57)【要約】      （修正有）【課題】体を乗せる為のクッションが多種多様流通しているが、体が動く際、動きやすくする為の下からの押し上げる力や、体温を一定に保ってくれたり、血液の循環を妨げない、蒸れない、又指圧効果など１つで解決するクッションを提供する。【解決手段】体を動かす時はボールの反発力を利用して動き安く、ボールＡの中の水Ｂで体温を一定に保ち、体の安定をはかり、ボールＡとボールＡの凹んだ部分で血液の循環を妨げず、ボールＡの先端部分で指圧効果得るクッションを提供する。【選択図】図１
2017056165.tif 000002
【特許請求の範囲】
【請求項１】
本考案はボールや密閉されたボール状の物の反発力を利用し、身体の動きを助け、中に液体を入れクッションとして使用するもので又ボールは半球にしたり指圧効果を高める為ボールに突起物を設けても良い
【発明の詳細な説明】
【技術分野】
【０００１】本発明は体を乗せるクッションに関する発明である
【背景技術】
【０００２】従来体を乗せるクッションには多様多様あるが体温を１定に保ったり体の安定性、体を動かす際下からの押し上げ力を１つで備えた物は無かった
【先行技術文献】
【特許文献】
【０００３】
【発明の概要】
【発明解決しょうとする課題】
【０００４】従来クッションの素材言えばスプリングや最近では低反発等その他多種多様な物が流通されているが体の温度の調整や体を動かす際下からの押し上げる効果又乗った時の安定性や又血液の循環を妨げないなど兼ね備えた商品は無かった
【課題を解決するための手段】
【０００５】本考案はゴムやウレタンのボールの中に水を入れそのボールを複数平面に並べて、ボールが絶えず平面になるように配置させることで上に体を乗せた時体温の安定や動く時の下からの押し上げ効果を得  体の安定、血液の流れを妨げない等効果がある
【発明の効果】
【０００６】本考案のクッションを使用すると体が動いた際下からの押し上げ効果があり楽に動かせボールの中の水が体温を１定に保ちボールとボールの間の凹みが血液の循環を妨げず又ボールの先端が指圧効果を生み体を乗せていて快適なものである
【図面の簡単な説明】
【０００７】
【図１】  ボール１個の断面図
【図２】  ボールを並べて敷き詰めた側面図
【発明を実施するための形態】
【０００８】以下、本発明に実施する為の形態を説明する
｛図１｝の（Ａ）はボールでありその中には水（Ｂ）が入っている、体をボールの上からん乗せると絶えずボールは反発力を持ち楽に体を動かすことができる中の水は体温を吸収し１定に保ち「図２｝ボール（Ａ）と（Ａ）の間に隙間が出来ており血液の循環を妨げない又ボール（Ａ）の先端の突起部分が指圧効果を生む
【符号の説明】
【０００９】（Ａ）ボール本体
（Ｂ）ボールの中に入っている水
【図１】
2017056165.tif 000003
【図２】
2017056165.tif 000004
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
弾力性のある素材で出来た風船状の上に体を乗せより快適にする為、中に液体を入れたり、指圧効果を生ませる為表面に突起物を付けたり又体に合わせて凸凹を設けたり半球にしたりするクッション
(57)【要約】【課題】  一般にランドリー多連型ハンガーは、物干し竿の利用に伴ないループ高が中腰を強いる程に低くなる為、特に妊婦や高齢者にあっては多々抵抗を感じる度会であった。【解決手段】  ハンガーループの連結仕様を着脱自在に設け、原則として之をすべて干し物と一緒に枠体に掛け外しする使用手段に改める。【選択図】図１
2017056173.tif 000002
【特許請求の範囲】
【請求項１】
ランドリー着脱式多連ハンガーに於いて、枠体の中央部で、左右から元部をつき合わせ共軸支持するハンガーアームが、各々複列にして等間に小溝を配設し、両端を若干角回動可に設けたことを特徴とする、ランドリー着脱式多連ハンガー。
【請求項２】
上記に掲げるハンガーアームの形状が、断面Ｕ字状にあることを特徴とする、ランドリー着脱式多連ハンガー。
【請求項３】
上記第１項に掲げるハンガーアームの形状が、断面Ｏ字状にあることを特徴とする、ランドリー着脱式多連ハンガー。
【発明の詳細な説明】
【技術分野】
【０００１】  本発明はランドリーハンガー中、６−１０連など多連型に関するものである。
【背景技術】
【０００２】  従来よりランドリーハンガーは、パラソル、ピンチ、ループ等と多々あり、吊り下げタイプにあっては一般に設置した物干し竿が充てられていた。
【先行技術文献】
【０００３】
【特許文献１】  実用新案登録第３１０８３１０号
【発明の概要】
【発明が解決しようとする課題】
【０００４】  上記中、吊り下げで使用する多連型では、ループ高が下がり過ぎる傾向から、作業自体は簡単ながらも妊婦や高齢者にとっては腰部に抵抗を感じる向きが多かった。
【課題を解決する為の手段】
【０００５】  ループをすべて着脱自在に設け、之を干し物と一緒に掛け外しする仕様に改める。
即ち普段はループを外して置くが、使用時は干し物をセットした上で纏めて枠体に戻し、乾燥後は亦ループごと取り入れる…という使用手段をとる。
【発明の効果】
【０００６】  作業が一貫して簡略化される為、中腰姿勢の厄介を去ることは勿論、物干し現場に立つ時間が大巾に短縮される。
【図面の簡単な説明】
【０００７】
【図１】
2017056173.tif 000003
【図２】
2017056173.tif 000004
【図３】ハンガーアームの形状に伴ない、同ループの対応事例を表わした断面図。
【発明を実施する為の形態】
【０００８】  ハンガーアーム（２）は、等間に小溝（２ａ）を配設した複列のロットで
2017056173.tif 000005
両端で若干角回動可にロック（１ａ）してある。
この回動角をハンガーループ（３）の着脱口とし、使用はすべて枠体（１）の両側から当る構造となる。
【符号の説明】
【０００９】１．枠体                    １ａ．アーム用ロック部
２．ハンガーアーム          ２ａ．等間隔に付設した小溝
３．ハンガーループ          ３ａ．センターリング
【図１】
2017056173.tif 000006
【図２】
2017056173.tif 000007
【図３】
2017056173.tif 000008
(57)【要約】【課題】  従来技術は、取っ手を着脱自在に取り付けるものであるが長尺で取手より高い板状ものを運搬することはできない。また、取手を着脱自在に取り付けるとともに、各積載物を振り分け可能なものであり、これもまた長尺で取手より高い板状ものを運搬することはできない。【解決手段】  下面にキャスターを設けた積載台に、着脱自在な取手を設けてなる台車であって、取手を積載台の後部及び／又は側部に着脱自在に設けるべく取付部を設けてなることを特徴とする。【選択図】図１
2017056925.tif 000002
【特許請求の範囲】
【請求項１】
下面にキャスターを設けた積載台に、着脱自在な取手を設けてなる台車であって、取手を積載台の後部及び／又は側部に着脱自在に設けるべく取付部を設けてなることを特徴とする多目的台車。
【請求項２】
前記取付部を取付孔とし、取付孔に着脱自在に取り付けるべく取手の下部にストッパー部を設けてなることを特徴とする請求項１記載の多目的台車。
【請求項３】
前記取手を斜状に形成してなることを特徴とする請求項１又は２記載の多目的台車。
【発明の詳細な説明】
【技術分野】
【０００１】  本発明は、小物から長尺な板状ものを運搬することのできる多目的台車に関するものである。
【背景技術】
【０００２】  従来の技術としては、積載物を載せる積載部と、転動輪と、取っ手部と、を備えた移動自在な台車装置であり、積載部が必要に応じて内部に物の収容空間を形成するように組み立てられる状態と、フラットな積載面を形成して積載物を載せ得る状態と、を自在に選択可能な複数の面板部材を含むことを特徴とする台車装置がある。（特許文献１参照）【０００３】  また、別の従来の技術として、取手を着脱可能な台車本体を備える台車であって、この取手を着脱するための第１の連結用部材と、台車本体に隣接して配置される他の台車本体と連結するための第２の連結用部材と、を具備し、第２の連結用部材は、台車本体の前後側面に設けられているものがある。（特許文献２参照）
【先行技術文献】
【特許文献】
【０００４】
【特許文献１】  特開２００４−３４７５７号公報
【特許文献２】  特開２０１４−１７２５０７号公報
【発明の概要】
【発明が解決しようとする課題】
【０００５】  前記前者においては、取っ手を着脱自在に取り付けるものであるが長尺で取手より高い板状ものを運搬することはできない。【０００６】  前記後者においても、取手を着脱自在に取り付けるとともに、各積載物を振り分け可能なものであるが、これもまた長尺で取手より高い板状ものを運搬することはできない。【０００７】  本発明は、このような従来の構成が有していた問題を解決しようとするもので、取手を斜状にし、積載台の後部や側部に取り付けることにより、小物から大物まで運ぶことができ、特に長尺な板状ものを運搬するのに適している多目的台車を提供することを目的とする。
【課題を解決するための手段】
【０００８】本発明は上記目的を達成するため、下面にキャスターを設けた積載台に、着脱自在な取手を設けてなる台車であって、取手を積載台の後部及び／又は側部に着脱自在に設けるべく取付部を設けてなること。前記取付部を取付孔とし、取付孔に着脱自在に取り付けるべく取手の下部にストッパー部を設けてなること。前記取手を斜状に形成してなることを特徴とする。
【発明の効果】
【０００９】１）、取手を着脱自在に形成し、積載台の後部及び／又は側部に設けることにより、通常      は後部に取手を取り付けて使用し、長尺な板状物を運搬する時は側部に取り付けて      使用できるため、多目的に使用できる。
２）、取手孔に取手の下部（ストッパー付）を差し込むのみの簡単な作業で仕事ができる      。
３）、取手を斜状に形成することにより、特に長尺な板状物を斜状にして倒れることなく      運搬できる。
【図面の簡単な説明】
【００１０】
【図１】  本発明の一実施例を示す多目的台車の正面図。
【図２】  本発明の一実施例を示す多目的台車の平面図。
【図３】  本発明の一実施例を示す多目的台車の別の使用状態図。
【発明を実施するための形態】
【００１１】  多目的台車１は、下面に固定キャスター２ａと自在キャスター２ｂを設けた積載台２の後部に取付孔による取付部２ｃを２箇所、側部やや中央側に取付孔２ｄを２箇所設けてある。
また、斜状に形成したパイプ等をＵ字形に形成した取手３の下部に円盤状のストッパー部３ａ・３ａを設けてある。
【００１２】  この多目的台車１の使用例について説明する。
通常は、図１・図２の状態で使用する。
特に、長尺の板状もの（コンパネ・ベニア・プラスターボード等）を運搬する時は、取手３の下部を取付孔２ｄ・２ｄに差し込み、ストッパー部３ａにて固定する。
この状態で、プラスターボードＰＢを斜状にて配置する。
例えば、工事現場等の狭い通路でも楽に通れ、エレベーターも奥行き寸法さえ合えば、階上にも運べる。（図３）
【００１３】  多目的台車の各部材の材質や大きさ等は、必要に応じて決めればよい。
また、取手を積載台に取り付ける方法も、同様な機能・効果があれば他の方法でもよい。
【産業上の利用の可能性】
【００１４】  特に、工事現場においてコンパネやベニヤ等を運ぶのに便利であり、多目的に使用できる。
また、一般の工場での部材の運搬にも有効である。
さらに、取手を取り付けず、平台としても使用できるものである。
【符号の説明】
【００１５】  １―――多目的台車
２―――積載台
３―――取手
ＰＢ――プラスターボード
【図１】
2017056925.tif 000003
【図２】
2017056925.tif 000004
【図３】
2017056925.tif 000005
(57)【要約】      （修正有）【課題】比較的低い回転数の遠心分離でも、目的物の巻き上がりが起こらず底部に留まらせておくことができる二段構造の遠心管を提供する。【解決手段】二段構造を持つ遠心管であり、サンプル溶液を保持する部分である本体上部１と、遠心分離によって得られる目的物を保持する部分である本体下部３と、本体を上下段に分離する直径１〜５ｍｍの穴が先端に開いた逆円錐状の傾斜板２を有し、本体下部３が脱着可能であり、サンプル溶液中から目的物を損傷させることなく回収することができる遠心管である。【選択図】図１
2017056455.tif 000002
【特許請求の範囲】
【請求項１】
二段構造を持つ遠心管であり、サンプル溶液を保持する部分である本体上部と、遠心分離によって得られる目的物を保持する部分である本体下部と、本体を上下段に分離する直径１〜５ｍｍの穴が先端に開いた逆円錐状の傾斜板を有し、前記本体下部が脱着可能であり、サンプル溶液中から目的物を損傷させることなく回収することができることを特徴とする遠心管。
【発明の詳細な説明】
【技術分野】
【０００１】  本発明は、サンプル溶液から目的物を分離する遠心分離に使用する遠心管に関するものである。
【背景技術】
【０００２】従来はサンプル溶液から目的物分離するために、サンプル溶液の入った遠心管を遠心分離機により回転させ、比重の違いにより分離を行っている。十分な量の目的物を得るためには高い回転数での遠心分離機の運転が行われている。
【発明が解決しようとする課題】
【０００３】しかしながら、高い回転数で運転を行うと目的物が損傷してしまうという課題がある。
また、損傷しないように低い回転数で運転を行うと、遠心分離機を停止させた際に遠心管の内部に生じる渦流により、分離した目的物が巻き上がってしまう課題もある。
【０００４】本発明の目的は上記課題を解決し、目的物に損傷を与えることなく且つ分離した目的物の巻き上がりを防止し、回収を確実に且つ容易に行うことができる遠心管を提供することである。
【課題を解決するための手段】
【０００５】上記目的は、二段構造を持つ遠心管であり、サンプル溶液を保持する部分である本体上部と、遠心分離によって得られる目的物を保持する部分である本体下部と、本体を上下段に分離する直径１〜５ｍｍの穴が先端に開いた逆円錐状の傾斜板を有し、前記本体下部が脱着可能であり、サンプル溶液中から目的物を損傷させることなく回収することができる遠心管である。
【発明の効果】
【０００６】本発明により、目的物に損傷を与えることなく且つ分離した目的物の巻き上がりを防止し、目的物の回収を確実に且つ容易に行うことができる遠心管を提供することができる。
【図面の簡単な説明】
【０００７】
【図１】本発明の分解した状態での断面図である。
【図２】本発明の組み立てた状態での断面図である。
【図３】本発明の使用時の状態を示すための図である。
【図４】本体下部の他の構成例（Ｖ字型）を示した図である。
【図５】本体下部の他の構成例（Ｕ字型）を示した図である。
【図６】本体結合部の他の構成例（はめ込み式）を示した図である。（ａ）は分解した状態での断面図である。（ｂ）は組み立てた状態での断面図である。本体下部の突起部を本体上部の溝にはめ込み、回転させることで組み立てる。
【図７】本体結合部の他の構成例（押し込み式）を示した図である。（ａ）は分解した状態での断面図である。（ｂ）は組み立てた状態での断面図である。
【発明を実施するための形態】
【０００８】以下に、本発明の好ましい実施形態を示す。
図１は本発明の実施形態の一例を示した構成図である。目的物を含むサンプル溶液を遠心管本体に投入し、蓋を閉め遠心分離機にセットする。
【０００９】遠心分離は１００〜１０００ｒｐｍの低い回転数で行う。遠心分離により目的物は傾斜板２の穴を通り、本体下部３に集積される。遠心分離機の停止により発生する渦流の影響は、傾斜板２によって抑えられ、本体下部３に集積された目的物が巻き上がることを防ぐ。遠心分離した目的物は図３に示すように本体下部３を取り外し、マイクロピペットにより回収する。
【００１０】また、低い回転数での遠心分離なので本体下部３に集積された目的物はペレット状にならないので、損傷することなく回収することができる。なお、上記実施形態は一例であり、本体下部３は図４のＶ字型、図５のＵ字型のような形状でも良い。更に、本体結合部４は図１に示すようなねじ込み式だけでなく、図６のはめ込み式、図７の押し込み式のような結合方式でも良い。
【符号の説明】１：遠心管本体上部  ２：傾斜板  ３：遠心管本体下部  ４：本体結合部  ５：蓋
【図１】
2017056455.tif 000003
【図２】
2017056455.tif 000004
【図３】
2017056455.tif 000005
【図４】
2017056455.tif 000006
【図５】
2017056455.tif 000007
【図６】
2017056455.tif 000008
【図７】
2017056455.tif 000009
(57)【要約】      （修正有）【課題】電気が無い地域及び災害時、緊急時等の、断水時、停電時において、汚染水から安全な飲料水を製造し、生活の中に快適性を確保する為に、電力を供給するシステムを提供する。【解決手段】低電力で飲料水製造が出来る「自然水質水製造装置」、低電力で水源の水を自然水質水製造装置１０に送水出来る「ポンプ１３」、自然水質水製造装置１０及びポンプ６に必要な電力と日常生活に必要な電力を供給する「充電式蓄電池６」、の３装置を電子制御回路によって一体化した装置を使用し、飲料水、農業用水、医療用水製造と日常生活に必要な電力供給を行うシステムの提供。【選択図】図１
2017056454.tif 000002
【特許請求の範囲】
【請求項１】
自然水質水製造装置、ポンプ、充電式蓄電池を三位一体化して飲料水、農業用水、医療用水製造と電力供給を行うことを特徴とする技術
【請求項２】
自然水質水製造装置、ポンプ、充電式蓄電池で構成され、自然水質水製造装置への一定電力の供給、ポンプが自然水質水製造装置から要求される所定の流量維持に必要な電力の供給、充電式蓄電池への充電電力の供給、これらの３つを同時に機能させることが出来る制御回路を搭載し、飲料水、農業用水、医療用水製造と電力供給を行うことを特徴とする技術。
【請求項３】
ポンプが、自然水質水製造装置に送水する際の水量を、設定された所定水量に維持する電子制御回路が搭載されたことを特徴とする飲料水製造装置
【発明の詳細な説明】
【技術分野】
【０００１】電気が無い地域及び災害時等の断水時、停電時において、不衛生な水の飲用と使用を余儀なくされ、劣悪な生活を強いられている人々にとって不可欠である安全な飲料水を汚染水から製造し、又安定的に電力を供給することで生活の中に快適性を確保する技術分野
【発明が解決しようとする課題】
【０００２】水質汚染が進行し水不足が進む各地域の住民に低資金・短期間で、安全な飲料水と充分な生活用水、農業用水を確保していく事は、既存の技術では不可能である。
【０００３】災害時、緊急時において、断水、停電となった場合、既存技術では、飲料水及び生活用水の確保も、避難生活に快適さを求めることも困難である。
【０００４】電気が無い地域及び災害時等の断水時、停電時において、不衛生な水の飲用と使用を余儀なくされ、劣悪な生活を強いられている人々にとって不可欠である安全な飲料水を汚染水から製造し、生活の中に快適性を確保する為には、電力が不可欠である。しかし、水と電力を確保するインフラストラクチャーの整備を待っている余裕は無い。
【課題を解決するための手段】
【０００５】低電力で運転が出来る「自然水質水製造装置」、低電力で水源の水を自然水質水製造装置に送水出来る「ポンプ」、自然水質水製造装置及びポンプに必要な電力と日常生活に必要な電力を供給する「充電式蓄電池」、この３つの技術を一体化した装置による飲料水製造と電力供給
【発明の効果】
【０００６】世界中で数１０億の人々が、発電所、送電線から各戸へ配電するインフラストラクチャー整備を待つこと無く、安全な飲料水と電気使用で快適な生活を確保する事が出来るようになる。
【０００７】数時間をかけ１日に何度も水汲みに行く事が無く、安全な飲料水及び生活用水を日常的に得られることで、健康維持、精神的安らぎの確保、生活改善への意欲向上等、健全な生活環境及び地域文化が育成されていく。
【０００８】紛争時、災害時等の状況下で、医療用水の確保、医療機器への電力供給が出来ない場合、本発明装置は、医療機器への電力供給、汚染水からの医療用水の製造を行う事が出来る。この為、瀕死の重傷を負った人々、重度の腎臓疾患で人工透析が必要な人々の治療を行う事が出来る。
【０００９】本発明装置は車に搭載することが出来、本発明装置と医療機器を四輪駆動車に搭載した救急車が実現する。従来、紛争地、災害時等の状況下ではガレキ等の障害物があり、通常の救急車では活動が困難であった。又山間地での活動は、現場まで救急車が入れないケースが多く、患者、救急隊員に大きな負担を強いていた。飲料水製造及び電力供給を行う本発明装置が搭載された四輪駆動の救急車の実現・普及は、救急車の活動範囲を広げ、人命救助に計り知れない貢献をする。
【００１０】電力が全く無い地域、災害時における避難生活で、基本的な家電製品を生活に取り入れることが出来る。
【００１１】土木工事をする事無く水源からの直接灌漑が可能となり、安定した農業の実現で、貧困からの脱却に向うことが出来る。
【００１２】安全で自然水質の飲料水を飲用することで、乳幼児死亡率の低下、風土病の治癒、伝染病発生防止と早期沈静化、等が可能となり、地域の活性化が促進される。
【００１３】本発明による装置は、電気が無い地域の住民自身で製作、組立を行う事が出来る。この為、製作・組立及び販売を地域住民が行うことで雇用確保が進み、収入の安定化によって貧困からの脱却が可能となる。
【００１４】安全な水に対する正しい知識を得るようになることで、生命尊厳の認識が進み、衛生と健康に関する意識の向上、モラルの向上、が実現していく。
【００１５】飲料水と電力の安定確保により、災害時における避難生活に快適性を確保する事が出来る為、ストレス低減、トラウマからの開放、等が進み、正常になる期間までの精神的、肉体的損失を少なくすることが出来る。
【発明を実施するための最良の形態】
【００１６】自然水質水製造装置は《ＡＱＵＩＮアキュイン》、ポンプは《低電力・高効率型ポンプ》、電力供給は《充電式蓄電池》の三位一体化された本発明装置が最良の形態である。
【図面の簡単な説明】
【００１７】
【図１】システム制御フロー
【産業上の利用可能性】
【００１８】膨大な資金が必要な水道及び電力供給インフラストラクチャー整備に依存する事無く、低資金、短期間での地域内飲料水及び電力供給が可能となり、地域人材、地域特性を活かした事業により地域産業経済が成立成長していく。【００１９】安全で自然水質の飲料水飲用による健康維持／促進が、医療費削減効果を生む。【００２０】汚染水から飲料水を製造するプロセスは、汚染水に含まれる汚染成分から有用資源を生む。大規模な再資源化工場を要せず、汚染水から高付加価値資源を生み出し、高収益事業が展開される。【００２１】ＢＯＰビジネスの目的のひとつである貧困からの脱却が、本発明装置の製造・組立・販売をＢＯＰ対象住民が担い、結果、安定収入を得られる事で可能となり、購買力向上により、ＢＯＰ対象地域の他産業収益向上も期待される。【００２２】本発明装置が搭載された四輪駆動救急車を実現させ、普及させていくことで、これまで手当て、治療が遅れたり、治療が出来なかった為に命を落とした事態を無くすことが出来る。救急医療の現場の救命率向上が図れることで、新たな市場を創出することが出来る。
【符号の説明】
【００２３】１：充電ソース
２：ソーラーパネル
３：車エンジンバッテリー
４：ＡＣ
５：ＡＣ変換
６：充電式蓄電池
７：ＡＣ・ＤＣコンバータ
８：ＤＣ変換
９：飲料水取り出し
１０：自然水質水製造装置（ＡＱＵＩＮアキュイン）
１１：汚染水ＩＮ
１２：制御ユニット
１３：ポンプ
１４：水源
【図１】
2017056454.tif 000003
(57)【要約】【課題】  動力のトルクを増強。【解決手段】  任意の動力の回転力を簡単なアームとリンク構成で増強。【選択図】図１
2017067294.tif 000002
【特許請求の範囲】
【請求項１】
入力軸と、
入力アームと、
出力アームと、
増強板を設けることを特徴とするトルク増強装置。
【発明の詳細な説明】
【技術分野】
【０００１】  本発明は回転動力の増強に関する。
【背景技術】
【０００２】
【発明の概要】
【発明が解決しようとする課題】
【０００３】  エネルギーを要さない回転動力の増強。
【課題を解決するための手段】
【０００４】  動力より大きな回転負荷を駆動する。
【発明の効果】
【０００５】  回転動力の小型化と省エネが図れる。
【図面の簡単な説明】
【０００６】
【図１】  トルク増強装置の外観斜視図
【図２】  トルク増強装置のリングの斜視図
【図３】  トルク増強装置の内部の回転部品の側面図
【図４】  出力アーム側の平面図
【図５】  入力アーム側の平面図
【図６】  増強板の平面図
【図７】  増強板の側面図
【発明を実施するための形態】
【０００７】  以下、本発明の１実施例の形態を図に基づいて説明する。
図１及び図２は、トルク増強装置の外観である。この構成は、任意の大きさの中空のリング１の側面に入力軸側板２と、出力軸側板９をビス７で挟み固着。
また、ベース６が省略された図２のリング１の内部に、図３、図４等のアーム、及びリンク等を構成。
【０００８】  図１に示す回転自在の出力軸５は、出力軸側板９に固着した出力軸軸受８と、図３の一部点線で示す、入力軸４で保持。また、回転自在の入力軸４は、入力軸側板２に固着する入力軸軸受３と、出力軸５で保持。
【０００９】  また、図３及び図４に示す、入力アーム１２は、リング１の内径に接触等生じない長さに設け、任意の手段で入力軸４に固着。また、入力アーム１２は、点線で示す軸穴１１に、回転自在のリンク軸１５がリンクする。
また、リンク軸１５は、図６、図７に示す増強板１６に固着。
【００１０】  この増強板１６の出力アーム１４側は、回転自在のリンク軸１７が固着。
また、リンク軸１７は、図３の出力アーム１４に、点線で示す軸穴１３にリンク。この出力アーム１４は、図３に示す任意の手段で出力軸５に固着。
また本発明の入力軸４の回転力の増強のためリンク軸１７と出力軸５が図示されていない、より接近するよう、出力アーム１４と増強板１６を任意の長さに設ける。
【００１１】  また図４の場合、入力軸４の回転力で増強板１６をリンク軸１７の方向に押す構成のため入力軸４、及び出力軸５を右回転で対応。この簡単なリンク構成での入力軸４の回転力の増強は、リンク軸１５を頂点にした、入力アーム１２と、増強板１６の鋭角の梃子の作用により増強。
【００１２】  このトルク増強装置を駆動する図示されていない任意の動力の回転力は入力軸４から増強構成に伝わり、出力軸５に作用。図示されていない任意の負荷を駆動する。また入力軸４の増強は出力軸５の回転力に比べ、数分の１と僅かである。
【産業上の利用可能性】
【００１３】  このトルク増強装置は、回転力であるトルクの大きさ等により樹脂、金属等任意の材料が用いられ、動力の小型化とこれに伴う省エネが図れる。
【符号の説明】
【００１４】  １  リング
２  入力軸側板
３  入力軸軸受
４  入力軸
５  出力軸
６  ベース
７  ビス
８  出力軸軸受
９  出力軸側板
１０  ビス穴
１１、１３  軸穴
１２  入力アーム
１４  出力アーム
１５、１７  リンク軸
１６  増強板
【図１】
2017067294.tif 000003
【図２】
2017067294.tif 000004
【図３】
2017067294.tif 000005
【図４】
2017067294.tif 000006
【図５】
2017067294.tif 000007
【図６】
2017067294.tif 000008
【図７】
2017067294.tif 000009
(57)【要約】【課題】本発明は、幼児、知的障害者又は認知症者がいたずらにより扉を開け、庫内の物が落下したり、庫内の物の飲食を防止する為、冷蔵庫の操作パネルから各扉の開閉を制御することを容易にする冷蔵庫を提供する。【解決手段】庫内の温度設定及び温度表示を有する冷蔵庫に於いて、扉の開閉操作部は扉の開閉制御をしたい室を選ぶスイッチと表示部を温度調節部の表示部と同じ配置として備えている。扉の開閉制御する際、スイッチをONにするとロックし、OFFにするとロックが解除され冷蔵庫の開閉制御が可能となる。【選択図】なし【特許請求の範囲】
【請求項１】
庫内の温度設定を行う機能及び温度表示を行う機能を有する温度調節部を備えた冷凍冷蔵庫において、全室又は1部室の扉の開閉を制御するドアロック装置を有することを特徴とする冷凍冷蔵庫。
【請求項２】
上記ドアロック装置に於いて、スイッチをONにすると指定された部屋がロックされ、扉を開くことが制御され、指定された部屋のスイッチをOFFにするとドアのロックが解除され、扉を開くことが出来るスイッチを有するドアロック装置を有する操作パネルを有することを特徴とする請求項1記載の冷凍冷蔵庫。
【請求項３】
上記ドアロック装置の機構は電気式、電磁式又は機械式等の構造にて作動するドアロック装置を有する操作パネルを有する請求項1又は2記載の冷凍冷蔵庫。
【発明の詳細な説明】
【技術分野】
【０００１】
本発明は、冷凍冷蔵庫に設置されている扉の開放を防止する扉開放防止の設定等を行う操作パネルに関するものである。
【背景技術】
【０００２】
従来の冷蔵庫は冷蔵室、スライド室、野菜室、冷凍室等の各部屋及び温度調節部が有ります。しかしながら、扉の開閉が容易な為、幼児、知能障害者及び認知症者はいたずらで扉を開けたり、キャビネットや戸棚内の物が落下したり、戸棚内の物を飲食したりするなどの恐れがあり、危険である。また、扉を開いたまま放置して、保冷効果が低下する。
【先行技術文献】
【特許文献】
【０００３】
【特許文献１】特開平9-158575
【発明の概要】
【発明が解決しようとする課題】
【０００４】
冷凍冷蔵庫は冷蔵室、スライド室、野菜室、冷凍室等が有り、扉の開閉は容易であるが、幼児、知的障害者及び認知症者がいたずらにより扉を開け、庫内の物が落下したり、庫内の物を飲食をする危険がありました。
【０００５】
また、扉を開いたまま放置して、保冷効果が低下してしまい、冷蔵庫自体に悪影響を及ぼす可能性があります。
【課題を解決するための手段】
【０００６】
本発明は、扉の開閉操作部は温度調節部の表示部を冷蔵庫の構成と同じ配置として、表示部と操作パネルの配置部に設ける。
【発明の効果】
【０００７】
請求項1に係る本発明の冷凍冷蔵庫は全室又は1部室の扉の開閉を制御するドアロック装置を有するので、部屋の扉の開閉を制御することにより、容易に制御することが出来る。
【０００８】
請求項2に係る本発明の冷凍冷蔵庫は、ドアロック装置を有する操作パネルに於いて、指定された部屋のスイッチをON、OFFにすることにより、扉の開閉制御をすることが出来る。
【０００９】
請求項3に係る本発明の冷蔵庫は、扉の開閉制御を温度調節部に配置しているので、ドアロック装置の機構は温度調節部と同系列の回路にて使用でき、また、ドアロックは電気的に施解錠する機構を組み込んだ電気式、電磁石を利用して施解錠する電磁式又は機械的にロックする装置を組み込んだ機械式の構造にて作動させることが出来る。
【実施例】
【００１０】
冷凍冷蔵庫は冷蔵室、スライド室、野菜室、冷凍室等が有り、扉の開閉は容易であるが、本発明のドアロック装置を設定すれば、幼児、知的障害者又は認知症者が居る家庭では、いたずらにより扉を開け、庫内の物が落下したり、庫内の物を飲食を防止することが出来る。また、家族の留守中に冷凍冷蔵庫の扉を開け、庫内の物が落下したり、庫内の物を飲食することを防止出来る。
【００１１】
誤動作を防止する為に、操作パネルの場所を幼児、知的障害者又は認知症者の手の届かない位置に設け、リモコン操作（スマートフォンを含む）も出来るようして、操作スイッチを長押しすることによりロック制御すれば防止するごとが出来る。
【産業上の利用可能性】
【００１２】
共働き家庭の幼児、認知症者の数が年々増加する中で、家庭に於いて、一人で居る時間が増加します。家族が留守中に冷凍冷蔵庫庫内の飲食物を勝手に出したり、飲食したりすることは非常に危険なので、家族は安心して留守にすることができませんが、ドアロック装置があれば、安心して留守にすることが出来ます。
(57)【要約】【課題】  銀行ＡＴＭを利用する際、その場所と時間は限られているのにも関わらず、実際銀行ＡＴＭ店舗に到着すると長蛇の行列が発生していて、利用するのが困難であったし、運営側も大変苦労していた。【解決手段】  事前に基本銀行ＡＴＭ操作を個人端末に登録し画像出力することによって、現地での入力時間とミスを少なくする事を特徴とした新しい銀行ＡＴＭ操作システム。【選択図】図２
2017138934.tif 000002
【特許請求の範囲】
【請求項１】
例えば銀行ＡＴＭ操作における、
残高照会、入金、出金と振込み・振り替えやそれらの金額等のセキュリティ面以外の基本取引情報を、個人端末や携帯端末による事前登録と画像出力と銀行ＡＴＭ機での読取り、実行するシステム、
それに係る個人端末による、
予定銀行ＡＴＭ操作のプログラム画像の写出を行うアプリケーションとそれに対応した銀行ＡＴＭ機で読み取ることを特徴としたシステム。
【発明の詳細な説明】
【技術分野】
【０００１】  本発明は銀行ＡＴＭ操作における単純で容易なシステムに関するものである。
【背景技術】
【０００２】  従来、銀行などのＡＴＭ操作において、手押し操作による遅延や操作ミスが頻発し長い行列が出来ていた。
また、ある一定の時間帯においても銀行ＡＴＭ操作集中による、長い行列が発生してしまっていた。
【先行技術文献】
【特許文献】
【０００３】
【特許文献１】  特開２０１４−２１５９９８
【発明の概要】
【発明が解決しようとする課題】
【０００４】  操作に不慣れな方々による操作の遅延、また特定の場所や時間帯、利用必要場面の利用者が集中する、銀行ＡＴＭ操作での行列の発生による銀行ＡＴＭ利用困難に陥る場面があり、運営者側・利用者側双方に不快な事態が発生していた。
更に、混雑した銀行ＡＴＭ機設置場所では、操作内容を他人に覗き見られる危険性もあった。
本発明は以上の問題点を解決すると共に、遅延と混雑解消による、運営者側の一店舗辺りの銀行ＡＴＭ機の設置台数削減と
利用者側による銀行ＡＴＭ利用時間を短縮し、より円滑に容易にしつつ、セキュリティの向上を図るために成されたシステムである。
【課題を解決するための手段】
【０００５】本発明に係るシステムは、銀行店舗ＡＴＭに到着するより以前にルーティンである基本的な銀行ＡＴＭ操作を予め腕時計、スマートフォン、ネット機器等の携帯端末等のアプリケーションで打ち込んでおき、その基本的な操作内容がプログラムされた、例えばバーコードやＱＲコードの様な画像を自己の画面に抽出しておいて、銀行ＡＴＭを利用する際にカードや通帳認識の後、前述の画像を対応ＡＴＭ機にかざすだけで操作プログラムが認識され、後の直接的な銀行ＡＴＭ操作は操作内容の確認と暗証番号等、セキュリティ面のＡＴＭ操作だけにした。
以上の構成による新しい銀行ＡＴＭ操作システムとそのアプリケーション。
【発明の効果】
【０００６】  本発明により、優先的に対応ＡＴＭを設置、利用者に促す事で利用者側の操作時間が短縮されたり、事前に予定銀行ＡＴＭ操作を個人でゆとりを持って画像抽出するだけなので、円滑化、容易化を図り銀行ＡＴＭに不慣れな方々のミスも防止する。
それと同時に他人にＡＴＭ操作内容を覗き見られる心配が無くなると共に、混雑の開放から運営者側の銀行ＡＴＭ設置台数とスペース削減にもつながり、運営者側・利用者側双方の不便を解消し、有意なものとした。
【図面の簡単な説明】
【０００７】
【図１】端末によるアプリケーションの流れ
【図２】銀行ＡＴＭ機利用現地での流れ
【産業上の利用可能性】
【０００８】  システム実行可能になれば、より大きく、迅速で円滑な経済効果を産む。
【図１】
2017138934.tif 000003
【図２】
2017138934.tif 000004
(57)【要約】      （修正有）【課題】ジョギングや作業時に耳の位置からずれにくく、長時間使用しても耳が痛く成ったり、汗による不快感を発生させないヘッドホンを提供する。【解決手段】スピ−カ部から頭の後方へ掛ける、或いは顎に掛けるヘッドホンバンドを伸縮性のある合成樹脂製にし、耳当てパットに和紙を用いる。【選択図】図２
2017220920.tif 000002
【特許請求の範囲】
【請求項１】
ヘッドホンのバンド部分に半円形のバンドを設置し、頭の後方部に用いてづれ落ちを防止する補助バンド部。
【請求項２】
ヘッドホンのバンド部分から顎にかけ用いるずれ落ちを防止するバンド部分。
【請求項３】
ヘッドホンに取り付ける伸縮性の有るバンドで、両端にビィ−ズの様な細い穴にとうしマイク部を潜らせビィズで絞め用いるずれ落ちを防止する補助バンド部。
【請求項４】
ヘッドホンスピ−カの耳当てのパットに和紙を用いた部。
【請求項５】
耳パット取り付けの際スピ−カ部に和紙を用いてそれを押さえる部。
【発明の詳細な説明】
【技術分野】
【０００１】本発明はヘッドホンを快適に使用したり、使用用途の拡大に関するものである。
【背景技術】
【０００２】今までのヘッドホンは、ジョギングや作業時に耳の位地からずれやすく、使用に不快感を感じる。
また長時間使用すると、耳が痛く成ったり、耳に汗をかく。それらの解決はますます重要となっている。
【発明の概要】
【発明が解決しようとする課題】
【０００３】（１）本発明は、動いていてもヘッドホンの位地がずれず使用出来ないか。
（２）長時間使用した時耳が痛く成らなく出来ないか。
（３）気温の高いとき、長時間使用しても汗を抑える方法はないか。
（４）スポ−ツ等の練習で、コ−チが大声でなくても本人にピンポイントに指示を出せないか。本発明者は上記従来の問題点に鑑み、低コストな機構を実現すべく研究を行った結果、これを実現することに成功し、本発明として、ここに提案するものである。
【問題を解決するための手段】
【０００４】上記課題を解決する為に、本発明が提案する安定バンドは、スピ−カ部から頭の後方へ掛ける、或いは顎に掛ける合成樹脂製のバンドにすることにより、また耳当てパットに和紙を用いて上記課題を解決した。
（１）頭の後ろに用いるバンドによりスピ−カ部の間隔が６０％広くなり耳への押さえつけがへり長時間使用でも痛みが軽減する。
（２）顎に掛けるバンド部分は伸縮性の有るゴム布等でより安定が増す、また合成樹脂製も可。
【発明の効果】
【０００５】（１）静止時行動時でも、ヘッドホンがずれ落ちにくく不快な思いが少ない。
（２）ヘッドホンを長時間使用していると耳が圧迫され痛みを感じるが、それが少ない。
（３）耳パットに和紙を用いる事により音質がより鮮明になる。
（４）耳パットに和紙を用いるので耳部分の熱や汗を吸収し長時間の使用でも不快感を減少出来る。
（５）ワィヤレスヘッドホンを使いスポ−ツ競技の指導や騒音の大きな場所、工場など広い範囲でも細かい指示が容易に行え効果も大きくなる。
【図面の簡単な説明】
【０００６】
【図１】本発明に係るヘッドホンバンド  実施例１の背面図
【図２】本発明に係るヘッドホンバンド実施例２の正面図
【図３】本発明に係るヘッドホンバンド実施例３の正  側面図
【図４】本発明に係るスピ−カ部の紙パット正面図
【図５】実際に装用したときの状況を示した側面図
【発明を実施するための形態】
【０００７】ヘッドホン本体にずれ防止の補助片を付設し、ヘッドホンの支点が単数でなく複数にした点に特徴がある。
【実施例１】
【０００８】実施例１  ヘッドホンバンド部分を後頭部にまわして使う。図１に示す構成と成っている。
図１に於いてバンド部分は合成樹脂製、や反発性の有る材料を使うと本体のスピ−カ部の間隔が広まり耳への締め付けが緩和される。運動等動きには伸縮性の有る材料が有効。
【実施例２】
【０００９】実施例２はこの発明に係る顎にまわして用いるバンドで図２に示す構成と成っている。
材質は伸縮性の有る柔らかい材質が望ましくスライド等調節可能な物も望ましい。
【実施例３】
【００１０】実施例３はこの発明に係る紙パットを抑える輪っか及び装着部で図３に示す構成と成っている。輪っかに切り込みが有るので装着が簡単でその弾力を利用してパッドを抑える事ができる為。またこの輪っかの受け部分に溝を作る事により外れにくくしたもの。
【実施例４】
【００１１】実施例４はこの発明に係る紙パットで図４に示す構成と成っている。
和紙にもみしぼを施せば丈夫で耳当たりの良いパットに成り、またそのパットに耳を作ればすぽっとスピ−カに入りやすく使い易い。
【実施例５】
【００１２】実施例５は実際に装用したときの状況を図５に示した。
【符号の説明】
【００１３】１後頭部バンド部分
２顎用バンド部分
３和紙を抑える輪っか
４輪っかを納める溝部分
５和紙パット
６和紙パッド立体耳部
【図１】
2017220920.tif 000003
【図２】
2017220920.tif 000004
【図３】
2017220920.tif 000005
【図４】
2017220920.tif 000006
【図５】
2017220920.tif 000007
(57)【要約】      （修正有）【課題】ギターのジャックに差し込んだフォンプラグから伸びたシールドケーブルを、そのままぶら下げた状態で演奏をすると、演奏者が動く度にフォンプラグとシールドケーブルの溶接部分の導線に負担が掛かり、度重なる内にノイズが出たり音が途切れた、フォンプラグが抜ける事があり、以上の問題点を解決するシールドホルダーを提供する。【解決手段】針金で創作した、本体金具１の上部に引っ掛ける造形を設け、下部の中心に挟み止め３機能を設け、挟み止め機能の両側に外れ防止金具４を設け、本体金具の下方に広い空間を設けるシールドホルダー。【選択図】図１
2017220437.tif 000002
【特許請求の範囲】
【請求項１】
本体金具の上部に、引っ掛ける造形を設け、下部の中心に挟み留め機能を設け、挟み留め機能の両側に外れ防止金具を自在に設け、本体金具の下方にヘッドピンを通せるだけの広さの空間を設けたシールドホルダー。
【発明の詳細な説明】
【技術分野】
【０００１】  本発明は、シールドケーブルを必要とする、各種ギターのシールドホルダーに関するものである。
【背景技術】
【０００２】  従来、このような専用器具が無いため，ギタリストの多くがストラップをギターのエンドピンに装着した後、ストラップとギターの側面版との隙間にシールドケーブルを通し挟み込んで演奏している。
【先行技術文献】
【特許文献】
【０００３】
【発明の概要】
【発明が解決しようとする課題】
【０００４】  ギターのジャックに差し込んだフォンプラグから延びたシールドケーブルを、そのままぶら下げた状態で演奏をすると、ギタリストが動く度にシールドケーブルも同時に揺れ動き、フォンプラグとシールドケーブルの溶接部分の導線に負担がかかる。それが度重なる内に導線が傷み、ノイズが出たり音が途切れたりする。又、ぶら下がったシールドケーブルは足元付近を這うため、ギタリストが踏んだり、四方に動いたりする内に、周囲の物に引っ掛けてフォンプラグが抜け、演奏中に音が中断してしまう事がある。
それらを回避するためにギタリストの多くが、ストラップをエンドピンに装着した後、ストラップとギター側面版の隙間にシールドケーブルを通し、挟み込んで演奏をするが、使い込んだストラップはエンドピンに嵌め込む穴が緩くなっていて、時に外れる事が有った。又、挟んだシールドケーブルが、エンドピン周辺を直接刺激するため、塗装の光沢が徐々に失われて行った。
本発明は、以上の問題点を解決するものである。
【課題を解決するための手段】
【０００５】  本体金具の上部に引っ掛ける造形を設け、下部の中心に挟み留め機能を設け、挟み留め機能の両側に外れ防止金具を設け、本体金具の下方に広い空間を設ける。
以上の構成よりなるシールドホルダー。
【発明の効果】
【０００６】  本発明の金具を装着する事により、エンドピン周囲のギター側面版の塗装に傷つく事が無くなり、シールドケーブルの保護にも効力を発揮する。
演奏中にシールドケーブルを踏んだり、物に引っ掛けてもジャックとフォンプラグの接続部には間接的に伝わるので抜ける事が無く、いきなり音が途切れる事は無い。
本発明の金具は、外れ防止機能の効果によって、装着後はエンドピンから外れることは無く、又、ストラップ外側のエンドピンに装着するため、ストラップもエンドピンから外れる事は無くなる。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）針金で創作した本体金具（１）の上部に、エンドピンに引っ掛ける部分（２）を設ける。
（ロ）本体金具（１）の下部に、シールドケーブルを固定させる、挟み留め機能（３）を設ける。
（ハ）挟み留め機能（３）の両側に、本体金具（１）がエンドピンから外れないように、外れ防止金具（４）を自在に設ける。
（ニ）本体金具（１）の下方に、ヘッドピンの頭をくぐらせることが出来る広さの空間（５）を設ける。
本発明は、以上のような構造である。
本発明を使用するときは、ストラップをエンドピンに装着した後、空間（５）にエンドピンの頭をくぐらせて、引っ掛ける部分（２）をエンドピンの首に密着するまで下に移動する。
ギタリストが激しい動きをしても、本体金具（１）が外れないように、外れ防止金具（４）の上端を本体金具（１）に密着させ、挟み留め機能（３）にシールドケーブルを嵌める。
その行為により、外れ防止金具（４）はシールドケーブルの幅径に圧迫され、本体金具（１）に密着するため、エンドピンから外れる事は無い。
挟み留め機能（３）はシールドケーブルの圧迫加減を構想し、創作する事で、シールドケーブルの外れやズレも阻止出来る。
従来、ギタリストの多くがとってきた方法では、エンドピン周囲の塗装がシールドケーブルに擦られるため、長期に渡って少しずつ光沢が失われて行くが、本発明の金具は、ストラップ外側のエンドピンに装着するために擦り傷を防ぐと同時に、ストラップが外れてギターを落とす事も無くなる。
ギタリストにとって、大切な楽器が傷つくのは好ましくない。
【符号の説明】
【０００９】  １  本体金具、２  引っ掛ける部分、３  挟み止め機能、４  外れ防止金具、５  空間
【図１】
2017220437.tif 000003
【図２】
2017220437.tif 000004
【手続補正書】
【提出日】平成29年7月19日(2017.7.19)
【手続補正１】
【補正対象書類名】特許請求の範囲
【補正対象項目名】請求項１
【補正方法】変更
【補正の内容】
【請求項１】
本体金具の上部に、エンドピンに引っ掛ける造形を設け、下部の中心に、シールドホルダーを固定する挟み留め機能を設け、ハサミ留め機能の両側に、エンドピンからの外れ防止金具を回転自在に設け、本体金具の下方に、エンドピンを通せるだけの広さの空間を設けたシールドホルダー。